(57)【要約】【課題】視覚情報による指示を操作者に提供することができる放射線画像撮影装置を提供することである。【解決手段】実施形態に係る放射線画像撮影装置は、放射線を発生させる放射線発生器と、前記放射線発生器から照射され、被検体を透過した前記放射線を検出する放射線検出器と、診断者が情報を入力する入力部と、前記入力された情報を視覚情報に変換し、放射線画像撮影装置の操作者に提供する表示部と、を備えている。【選択図】図１
2018057472.tif 000002
【特許請求の範囲】
【請求項１】
放射線を発生させる放射線発生器と、
前記放射線発生器から照射され、被検体を透過した前記放射線を検出する放射線検出器と、
診断者が情報を入力する入力部と、
前記入力された情報を視覚情報に変換し、放射線画像撮影装置の操作者に提供する表示部と、
を備えた放射線画像撮影装置。
【請求項２】
前記放射線検出器により検出された前記放射線の強度分布に基づいて放射線画像信号を作成する画像構成部をさらに備え、
前記表示部は、前記放射線画像信号を視覚情報に変換し、前記操作者に提供する請求項１記載の放射線画像撮影装置。
【請求項３】
前記放射線検出器に設けられた識別マーク、および前記被検体の少なくともいずれかを撮影する撮影部をさらに備えた請求項１または２に記載の放射線画像撮影装置。
【請求項４】
前記放射線検出器の型式、品名、状態、前記放射線画像撮影装置の撮影条件、および撮影手順に関する少なくともいずれかの情報を記憶し、前記表示部に提供する制御部をさらに備え、
前記表示部は、前記提供された情報を視覚情報に変換し、前記操作者に提供する請求項１〜３のいずれか１つに記載の放射線画像撮影装置。
【請求項５】
前記制御部は、前記撮影部により撮影された識別マークに基づいて、前記放射線検出器の型式および品名の少なくともいずれかを判別する請求項４記載の放射線画像撮影装置。
【請求項６】
前記制御部は、前記撮影部により撮影された前記被検体の部位に基づいて、前記放射線画像撮影装置の撮影条件および撮影手順の少なくともいずれかの適否を判定する請求項４記載の放射線画像撮影装置。
【請求項７】
前記表示部は、前記操作者が装着するヘッドマウントディスプレイである請求項１〜６のいずれか１つに記載の放射線画像撮影装置。
【請求項８】
前記撮影部は、前記ヘッドマウントディスプレイに設けられ、前記操作者が認識した画像を撮影する請求項７記載の放射線画像撮影装置。
【発明の詳細な説明】
【技術分野】
【０００１】
本発明の実施形態は、放射線画像撮影装置に関する。
【背景技術】
【０００２】
放射線画像撮影装置の一例にＸ線画像撮影装置がある。現在実用化されているＸ線画像撮影装置においては、Ｘ線発生器およびＸ線検出器をＸ線防護室内に設け、画像構成部および操作部をＸ線防護室外に設けている。  
また、被写体である患者などはＸ線防護室内におり、Ｘ線画像撮影装置の操作者や医者などの診断者はＸ線防護室外にいる。
【０００３】
また、診断者は、操作者に指示を与えることが必要になる場合がある。例えば、診断者は、使用するＸ線検出器や撮影部位などの指示を操作者に与えることが必要になる場合がある。一般的に、指示は、音声により行われる。  
ここで、医療現場においては複雑かつ緊急性を要するＸ線撮影が行われる場合がある。また、近年においては、Ｘ線画像撮影装置の機能向上に伴い撮影手順などが複雑になってきている。そのため、音声による指示では、操作者に対して正確かつ充分な指示が行えない場合がある。  
そこで、視覚情報による指示を操作者に提供することができる放射線画像撮影装置の開発が望まれていた。
【先行技術文献】
【特許文献】
【０００４】
【特許文献１】特開２００４−２０８７４９号公報
【発明の概要】
【発明が解決しようとする課題】
【０００５】
本発明が解決しようとする課題は、視覚情報による指示を操作者に提供することができる放射線画像撮影装置を提供することである。
【課題を解決するための手段】
【０００６】
実施形態に係る放射線画像撮影装置は、放射線を発生させる放射線発生器と、前記放射線発生器から照射され、被検体を透過した前記放射線を検出する放射線検出器と、診断者が情報を入力する入力部と、前記入力された情報を視覚情報に変換し、放射線画像撮影装置の操作者に提供する表示部と、を備えている。
【図面の簡単な説明】
【０００７】
【図１】本実施の形態に係るＸ線画像撮影装置１００を例示するための模式図である。
【図２】Ｘ線検出器１を例示するための模式斜視図である。
【図３】（ａ）、（ｂ）は、他の実施形態に係る識別マークを例示するための模式図である。
【発明を実施するための形態】
【０００８】
以下、図面を参照しつつ、実施の形態について例示をする。なお、各図面中、同様の構成要素には同一の符号を付して詳細な説明は適宜省略する。  
本実施の形態に係る放射線画像撮影装置は、被検体を透過した放射線を検出する放射線検出器を備えている。放射線検出器には、大きく分けて直接変換方式と間接変換方式がある。  
以下においては、一例として、間接変換方式の放射線検出器を例示するが、本実施の形態に係る放射線画像撮影装置に設けられる放射線検出器は、直接変換方式の放射線検出器であってもよい。  
すなわち、放射線検出器は、放射線を信号電荷に変換する光電変換膜を有し放射線を直接的に検出する直接変換方式の放射線検出器、または、放射線をシンチレータと協働して検出する間接変換方式の放射線検出器であればよい。  
なお、直接変換方式の放射線検出器には既知の技術を適用することができるので詳細な説明は省略する。
【０００９】
また、放射線画像撮影装置は、例えば、一般医療用途などに用いることができるが、用途に限定はない。  
また、以下に例示をする放射線画像撮影装置は、Ｘ線のほかにもγ線などの各種放射線に適用させることができる。ここでは、一例として、放射線の中の代表的なものとしてＸ線に係る場合を例にとり説明をする。したがって、以下の実施形態の「Ｘ線」を「他の放射線」に置き換えることにより、他の放射線にも適用させることができる。
【００１０】
図１は、本実施の形態に係るＸ線画像撮影装置１００を例示するための模式図である。  図２は、Ｘ線検出器１を例示するための模式斜視図である。  
図１に示すように、Ｘ線画像撮影装置１００には、Ｘ線検出器１、画像構成部２、表示部３、撮影部４、操作部５、Ｘ線発生器６、入出力部７、および制御部８が設けられている。  
Ｘ線検出器１およびＸ線発生器６は、Ｘ線防護室内に設けられている。画像構成部２、表示部３、操作部５、入出力部７、および制御部８は、Ｘ線防護室外に設けられている。
【００１１】
Ｘ線検出器１は、Ｘ線発生器６から照射され、被検体２００を透過したＸ線を検出する。
図２に示すように、Ｘ線検出器１には、アレイ基板１０、回路基板１１、支持板１２、およびシンチレータ１３が設けられている。  
また、Ｘ線検出器１は、アレイ基板１０、回路基板１１、支持板１２、およびシンチレータ１３が収納される図示しない筐体をさらに備えることができる。アレイ基板１０は、筐体の内部に固定された支持板１２の、Ｘ線が入射する側の面に設けられている。回路基板１１は、支持板１２の、アレイ基板１０が設けられる側とは反対側の面に設けられている。
【００１２】
アレイ基板１０は、シンチレータ１３によりＸ線から変換された蛍光（可視光）を信号電荷に変換する。  
アレイ基板１０は、基板１０ａ、光電変換部１０ｂ、制御ライン（又はゲートライン）１０ｃ１、データライン（又はシグナルライン）１０ｃ２などを有する。  
なお、光電変換部１０ｂ、制御ライン１０ｃ１、およびデータライン１０ｃ２の数などは例示をしたものに限定されるわけではない。
【００１３】
基板１０ａは、板状を呈し、無アルカリガラスなどの透光性材料から形成されている。  光電変換部１０ｂは、基板１０ａの一方の表面に複数設けられている。  
光電変換部１０ｂは、矩形状を呈し、複数の制御ライン１０ｃ１と複数のデータライン１０ｃ２とにより画された領域に設けられている。複数の光電変換部１０ｂは、マトリクス状に並べられている。なお、１つの光電変換部１０ｂは、１つの画素（pixel）に対応する。
【００１４】
複数の光電変換部１０ｂのそれぞれには、光電変換素子１０ｂ１と、スイッチング素子である薄膜トランジスタ（ＴＦＴ；Thin Film Transistor）１０ｂ２が設けられている。また、光電変換素子１０ｂ１において変換した信号電荷を蓄積する蓄積キャパシタ１０ｂ３を設けることができる。蓄積キャパシタ１０ｂ３は、例えば、矩形平板状を呈し、各薄膜トランジスタ１０ｂ２の下に設けることができる。ただし、光電変換素子１０ｂ１の容量によっては、光電変換素子１０ｂ１が蓄積キャパシタ１０ｂ３を兼ねることができる。  光電変換素子１０ｂ１は、例えば、フォトダイオードなどとすることができる。  
薄膜トランジスタ１０ｂ２は、蓄積キャパシタ１０ｂ３への電荷の蓄積、および、蓄積キャパシタ１０ｂ３に蓄積されている電荷の放出のスイッチングを行う。
【００１５】
回路基板１１は、フレキシブルプリント基板１４ａ、１４ｂを介してアレイ基板１０と電気的に接続されている。  
回路基板１１には、読み出し回路、増幅・変換回路、および制御回路が設けられている。
読み出し回路は、薄膜トランジスタ１０ｂ２のオン状態とオフ状態を切り替える。読み出し回路は、Ｘ線画像の走査方向に従って、対応する制御ライン１０ｃ１に制御信号Ｓ１を入力する。制御ライン１０ｃ１に入力された制御信号Ｓ１により薄膜トランジスタ１０ｂ２がオン状態となり、光電変換素子１０ｂ１からの信号電荷（画像データ信号Ｓ２）が受信できるようになる。
【００１６】
増幅・変換回路は、積分アンプ、並列−直列変換回路、およびアナログ−デジタル変換回路を有している。積分アンプは、データライン１０ｃ２と電気的に接続されている。並列−直列変換回路は、積分アンプと電気的に接続されている。アナログ−デジタル変換回路は、並列−直列変換回路と電気的に接続されている。  
積分アンプは、光電変換部１０ｂからの画像データ信号Ｓ２を順次受信する。そして、積分アンプは、一定時間内に流れる電流を積分し、その積分値に対応した電圧を並列−直列変換回路へ出力する。この様にすれば、所定の時間内にデータライン１０ｃ２を流れる電流の値（電荷量）を電圧値に変換することが可能となる。すなわち、積分アンプは、シンチレータ１３において発生した蛍光の強弱分布に対応した画像データ情報を、電位情報へと変換する。  
並列−直列変換回路は、電位情報へと変換された画像データ信号Ｓ２を順次直列信号に変換する。  
アナログ−デジタル変換回路は、直列信号に変換された画像データ信号Ｓ２をデジタル信号に順次変換する。
【００１７】
シンチレータ１３は、複数の光電変換素子１０ｂ１の上に設けられ、入射するＸ線を可視光すなわち蛍光に変換する。シンチレータ１３は、基板１０ａ上の複数の光電変換部１０ｂが設けられた領域（有効画素領域）を覆うように設けられている。  
シンチレータ１３は、例えば、ヨウ化セシウム（ＣｓＩ）：タリウム（Ｔｌ）、あるいはヨウ化ナトリウム（ＮａＩ）：タリウム（Ｔｌ）などを用いて形成することができる。この場合、真空蒸着法などを用いて、シンチレータ１３を形成すれば、複数の柱状結晶の集合体からなるシンチレータ１３が形成される。  
また、シンチレータ１３は、例えば、酸硫化ガドリニウム（Ｇｄ２Ｏ２Ｓ）などを用いて形成することもできる。この場合、複数の光電変換部１０ｂごとに四角柱状のシンチレータ１３が設けられるように、マトリクス状の溝部を形成することができる。
【００１８】
その他、Ｘ線検出器１には、蛍光の利用効率を高めて感度特性を改善するために、シンチレータ１３の表面側（Ｘ線の入射面側）を覆うように図示しない反射層を設けることができる。  
また、空気中に含まれる水蒸気により、シンチレータ１３の特性と図示しない反射層の特性が劣化するのを抑制するために、シンチレータ１３と図示しない反射層を覆う図示しない防湿体を設けることができる。
【００１９】
画像構成部２は、Ｘ線検出器１により検出されたＸ線の強度分布に基づいてＸ線画像信号（Ｘ線画像に関する画像データ信号）を作成する。  
画像構成部２は、配線２ａを介して、回路基板１１に設けられたアナログ−デジタル変換回路と電気的に接続されている。  
画像構成部２は、アナログ−デジタル変換回路によりデジタル信号に変換された画像データ信号Ｓ２に基づいて、Ｘ線画像信号を作成する。なお、Ｘ線画像信号の作成には既知の技術を適用することができるので、詳細な説明は省略する。
【００２０】
また、画像構成部２は、Ｘ線画像信号を、表示部３およびディスプレイ７ａに向けて出力する。  
また、画像構成部２は、Ｘ線画像信号を、Ｘ線画像撮影装置１００の外部に設けられた機器に向けて出力することもできる。
【００２１】
表示部３は、配線３ａを介して画像構成部２と電気的に接続されている。  
表示部３は、入力された情報を視覚情報に変換し、Ｘ線画像撮影装置１００の操作者３００に提供する。  
例えば、表示部３は、画像構成部２や入力部７ｂなどからの信号に基づいて光学画像を作成し、操作者３００に提供する。  
なお、操作者３００に提供される情報に関する詳細は後述する。  
表示部３は、例えば、操作者３００が装着するヘッドマウントディスプレイ（Head Mounted Display）などとすることができる。
【００２２】
撮影部４は、配線３ａを介して画像構成部２および表示部３と電気的に接続されている。
撮影部４は、操作者３００が認識した画像を撮影する。  
撮影された画像は表示部３に表示することもできるし、ディスプレイ７ａに表示することもできる。  
撮影部４は、ヘッドマウントディスプレイに設けることができる。撮影部４がヘッドマウントディスプレイに設けられていれば、操作者３００が認識した画像を撮影するのが容易となる。  
撮影部４は、例えば、ヘッドマウントディスプレイに設けられたＣＣＤカメラなどとすることができる。
【００２３】
操作部５は、配線５ａを介して制御部８と電気的に接続されている。操作部５は、例えば、操作ボタン、フラットパネルディスプレイなどを備えたものとすることができる。    操作部５は、主に、Ｘ線画像撮影装置１００の操作者３００が操作する。  
操作部５は、操作者３００により入力された制御情報を制御部８に向けて出力する。
【００２４】
Ｘ線発生器６は、Ｘ線を発生させる。Ｘ線発生器６は、例えば、Ｘ線を発生させる真空管とすることができる。  
Ｘ線発生器６は、フィラメント６ａおよびターゲット６ｂを有する。  
フィラメント６ａは、例えば、タングステンなどから形成され、図示しない高圧電源のマイナス側に電気的に接続されている。  
ターゲット６ｂは、例えば、銅、タングステン、モリブデンなどから形成され、図示しない高圧電源のプラス側に電気的に接続されている。  
Ｘ線発生器６には、Ｘ線の照射に必要な電力（管電流、管電圧）が図示しない高圧電源から供給される。Ｘ線発生器６は、フィラメント６ａにおいて電子を発生させ、供給された高電圧により加速させた電子をターゲット６ｂに衝突させることで、有効視野領域内にある被検体２００に向けてＸ線を照射する。なお、Ｘ線発生器６とＸ線検出器１との間には、Ｘ線発生器６から照射されたＸ線ビームの形状を整形する図示しないコリメータを設けることができる。
【００２５】
入出力部７は、画像構成部２と電気的に接続されている。  
入出力部７は、ディスプレイ７ａおよび入力部７ｂを有する。  
ディスプレイ７ａは、入力されたＸ線画像信号に基づいて光学画像であるＸ線画像を作成し、Ｘ線画像を表示する。また、ディスプレイ７ａは、入力部７ｂから入力された情報を表示する。ディスプレイ７ａは、例えば、フラットパネルディスプレイなどとすることができる。  
入力部７ｂは、画像構成部２に文字情報などを入力する。入力部７ｂは、例えば、キーボードなどとすることができる。  
なお、入出力部７は、主に、医者などの診断者４００が操作する。  
例えば、診断者４００は、ディスプレイ７ａに表示されたＸ線画像に基づいて必要な指示を入力部７ｂに入力する。入力された情報は、画像構成部２を介して表示部３に入力される。表示部３は、入力された情報に基づいて視覚情報（例えば、文字情報の光学画像）を作成し、視覚情報による指示を操作者３００に提供する。
【００２６】
制御部８は、配線３ａを介して、表示部３と電気的に接続されている。  
制御部８は、例えば、ＣＰＵ（Central Processing Unit）と記憶装置を備えたコンピュータなどとすることができる。  
制御部８は、例えば、Ｘ線発生器６の動作とＸ線検出器１の動作を同期させる。例えば、制御部８は、Ｘ線発生器６を制御して、Ｘ線発生器６からＸ線を照射させる。そして、制御部８は、Ｘ線検出器１を制御して、Ｘ線の入射に同期させて撮影に必要な動作を実行させる。  
なお、Ｘ線発生器６に、Ｘ線検出器１からの同期信号によってＸ線を照射する機能が設けられている場合には、制御部８は、Ｘ線検出器１の動作を制御する。また、Ｘ線検出器１に、Ｘ線の入射を検出する機能が設けられている場合には、制御部８は、Ｘ線発生器６の動作を制御する。
【００２７】
また、制御部８は、操作部５から入力された情報に基づいて、撮影条件などを変更する。例えば、制御部８は、操作部５から入力された情報に基づいて、撮影部位の変更、撮影回数の変更、複数のＸ線検出器１が設けられている場合には使用するＸ線検出器１の変更などを行う。
【００２８】
また、制御部８は、Ｘ線検出器１の型式、品名、状態、Ｘ線画像撮影装置１００の撮影条件、および撮影手順に関する少なくともいずれかの情報を記憶している。Ｘ線検出器１の状態は、例えば、内蔵バッテリの残量、故障の有無などである。  
また、制御部８は、撮影部４により撮影された識別マーク１ａ、１ａ１、１ａ２に基づいてＸ線検出器１の型式および品名の少なくともいずれかを判別する。
【００２９】
また、制御部８は、撮影部４により撮影された被検体２００の部位に基づいて、Ｘ線画像撮影装置１００の撮影条件および撮影手順の少なくともいずれかの適否を判定することもできる。すなわち、制御部８は、画像処理の機能を有するものとすることができる。
制御部８は、記憶している情報、Ｘ線検出器１の型式や品名の判別結果、撮影条件や撮影手順の判定結果を表示部３に提供する。
【００３０】
なお、以上においては、１組の画像構成部２および入出力部７に対して、１組のＸ線検出器１、表示部３、撮影部４、操作部５、Ｘ線発生器６、および制御部８が設けられる場合を例示したが、これに限定されるわけではない。１組の画像構成部２および入出力部７に対して、複数組のＸ線検出器１、表示部３、撮影部４、操作部５、Ｘ線発生器６、および制御部８が設けられるようにしてもよい。  
この様にすれば、１人の診断者４００が、複数の操作者３００に対して指示を出せるようになる。  
また、Ｘ線画像撮影装置１００には、複数のＸ線検出器１が設けられていてもよい。
【００３１】
複数のＸ線検出器１が設けられる場合には、Ｘ線検出器１の品名や型式などの情報が検知できるようになっていることが好ましい。Ｘ線検出器１の品名や型式などの情報が検知できれば、撮影条件などによるＸ線検出器１の選定、Ｘ線検出器１の型式などに応じた撮影条件や撮影手順などの情報の提供が容易となる。そのため、Ｘ線検出器１の外面には、識別マーク１ａを設けることができる。識別マーク１ａは、例えば、バーコードなどとすることができる。
【００３２】
図３（ａ）、（ｂ）は、他の実施形態に係る識別マークを例示するための模式図である。
図３（ａ）に示すように、識別マーク１ａ１は、二次元バーコードとすることもできる。二次元バーコードとすれば情報量を増大させることができる。  
図３（ｂ）に示すように、識別マーク１ａ２は、カラーバーコードとすることもできる。カラーバーコードとすれば、離れた距離からの認識が容易となる。
【００３３】
次に、操作者３００に提供される情報についてさらに説明する。  
前述したように、操作者３００が使用する表示部３および操作部５と、診断者４００が使用する入出力部７は、Ｘ線防護室外に設けられている。この場合、操作者３００は、被検体２００を視認することができる位置にいる必要がある。一方、診断者４００は、必ずしも被検体２００を視認することができる位置にいる必要がない。そのため、操作者３００と診断者４００が離れた位置（例えば、別の部屋）にいる場合もある。また、１人の診断者４００が、複数の操作者３００に対して指示を出すことができれば、診断効率を向上させることができる。
【００３４】
一般的には、診断者４００は、音声により操作者３００に指示を出す。そのため、診断者４００が、離れた位置にいる操作者３００や、複数の操作者３００に対して指示を出すことが困難であった。  
また、医療現場においては複雑かつ緊急性を要するＸ線撮影が行われる場合がある。また、近年においては、Ｘ線画像撮影装置１００の機能向上に伴い撮影手順などが複雑になってきている。  
そのため、音声による指示では、診断者４００が操作者３００に対して正確かつ充分な指示を行うことができない場合がある。
【００３５】
本実施の形態に係るＸ線画像撮影装置１００には、表示部３が設けられているので、以下のような視覚情報による指示を操作者３００に提供することができる。  
例えば、診断者４００が入力部７ｂに入力した撮影条件などに基づいて、必要な情報が制御部８から読み出される。表示部３は、読み出された情報に基づいて視覚情報を作成し、操作者３００に提供する。例えば、制御部８に記憶されていたＸ線画像撮影装置１００の撮影手順（例えば、操作手順書など）が視覚情報（例えば、文字情報の光学画像）として操作者３００に提供される。また、制御部８に記憶されていたＸ線検出器１の状態に関する警告などが視覚情報（例えば、文字情報の光学画像）として操作者３００に提供される。例えば、内蔵バッテリの残量、故障による使用制限などの警告が文字情報の光学画像として操作者３００に提供される。
【００３６】
また、表示部３は、画像構成部２からのＸ線画像信号に基づいて視覚情報（Ｘ線画像）を作成し、操作者３００に提供する。そのため、操作者３００は、撮影された画像を直接確認することができる。その結果、操作者３００は、撮影されたＸ線画像の良否、Ｘ線撮影位置の適否などを判断することが容易となるので、Ｘ線撮影の終了やＸ線撮影のやり直しなどを迅速に行うことができる。
【００３７】
また、表示部３は、診断者４００が入力部７ｂから入力した指示に基づいて、文字情報の光学画像を作成し、操作者３００に提供する。例えば、診断者４００は、ディスプレイ７ａに表示されたＸ線画像に基づいて、撮影されたＸ線画像の良否、Ｘ線撮影位置の適否などを判断する。そして、診断者４００は、入力部７ｂからＸ線撮影の終了やＸ線撮影のやり直しなどの文字情報を入力する。表示部３は、入力された文字情報の光学画像を作成し、操作者３００に提供する。この様にすれば、診断者４００は離れた位置にいる操作者３００に対して正確かつ充分な指示を行うことができる。また、一人の診断者４００が離れた位置にいる複数の操作者３００に対して、同様または異なる指示を出すことが容易となる。
【００３８】
また、Ｘ線画像撮影装置１００には、撮影部４が設けられているので、以下のような視覚情報を操作者３００に提供することができる。  
例えば、撮影部４は、操作者３００が視認した画像を撮影する。撮影された画像は、ディスプレイ７ａに表示される。診断者４００は、ディスプレイ７ａに表示された画像に基づいて操作者３００に指示を出すことができる。例えば、Ｘ線撮影を予定している部位とディスプレイ７ａに表示された部位とが異なる場合、使用を予定しているＸ線検出器１とディスプレイ７ａに表示されたＸ線検出器１とが異なる場合などには、診断者４００は、入力部７ｂからＸ線撮影の位置の変更やＸ線検出器１の変更などの文字情報を入力する。表示部３は、入力された文字情報の光学画像を作成し、操作者３００に提供する。
【００３９】
また、撮影部４は、Ｘ線検出器１に設けられた識別マーク１ａ、１ａ１、１ａ２を撮影する。撮影された識別マーク１ａ、１ａ１、１ａ２に関する情報は、撮影部４から制御部８に送られる。制御部８は、撮影部４により撮影された識別マーク１ａ、１ａ１、１ａ２に基づいてＸ線検出器１の品名や型式などを特定する。また、制御部８は、特定されたＸ線検出器１の品名や型式などに基づいて、Ｘ線検出器１の選定、Ｘ線検出器１の型式などに応じた撮影条件や撮影手順などの情報の提供を行う。
【００４０】
また、撮影部４は、操作者３００がＸ線撮影を予定している被検体２００の部位を撮影する。制御部８は、記憶されている撮影条件と、撮影された被検体２００の部位とに基づいてＸ線撮影の位置の適否を判定し、表示部３に向けて適否に関する文字情報を出力する。Ｘ線撮影の位置の判定は、画像処理により行うことができる。表示部３は、入力された文字情報の光学画像を作成し、操作者３００に提供する。この様にすれば、診断者４００の指示がなくてもＸ線撮影の位置の適否を知ることができる。
【００４１】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００４２】
１  Ｘ線検出器、１ａ  識別マーク、１ａ１  識別マーク、１ａ２  識別マーク、２  画像構成部、３  表示部、４  撮影部、５  操作部、６  Ｘ線発生器、７  入出力部、７ａ  ディスプレイ、７ｂ  入力部、８  制御部、１０  アレイ基板、１０ａ  基板、１０ｂ  光電変換部、１０ｂ１  光電変換素子、１１  回路基板、１３  シンチレータ、１００  Ｘ線画像撮影装置、２００  被検体、３００  操作者、４００  診断者
【図１】
2018057472.tif 000003
【図２】
2018057472.tif 000004
【図３】
2018057472.tif 000005